(57)【特許請求の範囲】
【請求項１】
足底部の踝部位に下腿部が底背屈自在に枢着され、該下腿部を所定の背屈角度に停止せしめるべく足底部の踵部位上に所要高のストッパ−が起立状に形成され、該ストッパ−にはその上端部から下端方向に向けて所要幅のスリットが拡開自在に切欠き形成されると共に、該スリット間には弾性を有する拡開度調節部材が上下動自在に配設されてなり、上記拡開度調節部材を適宜上下動せしめつつスリットの拡開自由度を調節して下腿部の背屈角度を調節せしめるべく構成されてなることを特徴とする、短下肢装具。
【請求項２】
ストッパ−のスリット両側縁に沿って所要数の調節孔が所定ピッチ毎に対向形成されると共に、対応する該調節孔に止着材を介して止着せしめつつ拡開度調節部材が上下動自在に配設されてなることを特徴とする、請求項１記載の短下肢装具。
【発明の詳細な説明】
【技術分野】
【０００１】
本発明は、歩行時に足首関節の補助を必要とする患者に使用する短下肢装具に関する。
【背景技術】
【０００２】
従来より、脳内出血、脳血栓に依る麻痺、事故による片麻痺などで足首関節を自由に動
かすことができない患者の短下肢装具として、足底部の踵部位上に略半筒状とされた所要高の下腿部が起立状に一体形成されたものが知られている（実公昭６１−４３４７３号公報  第３頁第３図、特開平９−１０３４４３号公報  第７頁図５参照）。
そして、かかる従来の短下肢装具は、足底部上に足を載せると共に、ふくら脛に下腿部
を当てがいつつ所要の装着バンドでもって略直角（足首が中立位となるよう）に固定せしめ、足首を底屈と背屈との双方を阻止せしめることにより尖足や下垂足を矯正するものとされている。
【０００３】
しかしながら、上述の如く構成された従来の短下肢装具は、足首関節を比較的強固に固
定するものであるから、足首の関節が殆んど動けない状態を呈し、ひいては、歩行が極め
て不自然でぎこちないものとなっていた。
【０００４】
上記従来例の短下肢装具の問題点を解決するものとして、実公昭６１−４３４３７号公
報、特公昭６１−１６１７３号公報、特開平９−１０３４４３号公報などに記載のものが
提案されている。
【０００５】
即ち、実公昭６１−４３４３７号公報には、足底部の踵部位側に後方支柱を介して短尺
な略半筒状の下腿部が連結されると共に、該下腿部の両側部位はバネ機能を有する両側一対の略Ｓ字形側方支柱を介して足底部に連結された短下肢装具が記載されている。
上述の如く構成された短下肢装具は、足底部上に足を載せると共に、後方支柱と側方支
柱とにより支持せしめつつ下腿部をふくら脛に当てがいながら装着バンドでもって固定せ
しめるものである。そして、歩行時には、後方支柱と側方支柱とにより角度を変えて二方向から支持せしめると共に、底屈時には側方支柱に復元力を発生せしめ、背屈姿勢を楽にせしめるものである。
【０００６】
また、特公昭６１−１６１７３号公報には、足底部の踵部位側に側当部が起立状に一体
形成され、該側当部の上端部には略半筒状の下腿部が蝶番等を介して底背屈自在に連結さ
れると共に、スプリングを介して引張された短下肢装具が記載されている。
上述の如く構成された短下肢装具は、足底部上に足を載せると共に、側当部を足首背部位に、下腿部をふくら脛に各々当てがいつつ装着バンドでもって固定せしめるものである
。
そして、歩行時には、固定時における多少の固定余裕分をスプリングでもって弾止せしめ
つつ、底背屈作動に応じて下腿部を蝶番により適正に屈曲せしめるものである。
【０００７】
さらに、特開平９−１０３４４３号公報には、足底部の踝部位に略半筒状の下腿部が底
背屈自在に枢着されると共に、該下腿部の背面側中位と足底部の踵部位とが圧縮スプリン
グでもって連結された短下肢装具が記載されている。
上述の如く構成された短下肢装具は、足底部上に足を載せると共に、下腿部をふくら脛
に当てがいつつ装着バンドでもって固定せしめるものである。そして、歩行時には、足首
が底屈・背屈可能で、背屈筋が圧縮スプリングの力により補助され、自然な歩行状態を補
助せしめることが出来るものである。
【先行技術文献】
【特許文献】
【０００８】
【特許文献１】実公昭６１−４３４７３号公報
【特許文献２】特公昭６１−１６１７３号公報
【特許文献３】特開平９−１０３４４３号公報
【発明の概要】
【発明が解決しようとする課題】
【０００９】
ところで、上記実公昭６１−４３４７３号公報記載の短下肢装具は、足底部の踵部位に
下腿部が後方支柱と共にバネ機能を有する両側一対のＳ字形側方支柱により連結されてい
るから、側方支柱が伸縮する際にＳ字形の屈曲率が変更されるのみならず、足に対して食
いこむ方向に弯曲するおそれがあり、ひいては、側方安定性に問題があるのみならず、背
屈時における背屈角度を調節することが出来ないものである。
【００１０】
また、特公昭６１−１６１７３号公報記載の短下肢装具は、足底部の踵部位側に側当板が起立状に一体形成されると共に、該側当板上に下腿部が蝶番やスプリングを介して底背屈自在に連結されているから、固定時における固定余裕分をスプリングにより弾止せしめるも、足首関節背屈筋の筋力の補助と底屈の許容範囲が限られたものとなり、足首の自然な動きが阻害されやすいのみならず、背屈時の背屈角度調節が不能で背屈遊動しやすく、適正な歩行がしずらいおそれがあるものである。
【００１１】
さらに、特開平９−１０３４４３号公報記載の短下肢装具は、足底部の踝部位に下腿部
が底背屈自在に枢着されると共に、該下腿部の背部中位が圧縮スプリングでもって足底部に連結されているから、圧縮スプリングの作用により背屈・底屈に制動された位置から背屈へ戻り補助されるも、背屈時の背屈角度調節が不能で背屈遊動しやすく、適正な歩行がしずらいおそれがあるものである。
【００１２】
本発明は、従来の課題を解決しようとするもので、下腿部を側方安定性よく底背屈作動
せしめると共に、下腿部の背屈角度を自由に調節せしめて適正に歩行せしめることが出来
る、短下肢装具を提供するにある。
【課題を解決するための手段】
【００１３】
上記の目的を達成するため、本願発明の請求項１記載の発明は、足底部の踝部位に下腿部が底背屈自在に枢着され、該下腿部を所定の背屈角度に停止せしめるべく足底部の踵部位上に所要高のストッパ−が起立状に形成され、該ストッパ−にはその上端部から下端方向に向けて所要幅のスリットが拡開自在に切欠き形成されると共に、該スリット間には弾性を有する拡開度調節部材が上下動自在に配設されてなり、上記拡開度調節部材を適宜上下動せしめつつスリットの拡開自由度を調節して下腿部の背屈角度を調節せしめるべく構成されてなることを特徴とする、短下肢装具を要旨とするものである。
【００１４】
本願発明の請求項２記載の発明は、ストッパ−のスリット両側縁に沿って所要数の調節孔が所定ピッチ毎に対向形成されると共に、対応する該調節孔に止着材を介して止着せしめつつ拡開度調節部材が上下動自在に配設されてなることを特徴とする、請求項１記載の短下肢装具を要旨とするものである。
【発明の効果】
【００１５】
請求項１記載の発明は、上述のように構成されているから、下腿部を側方安定性よく底
背屈作動せしめることが出来るのみならず、拡開度調節部材をストッパ−に沿って適宜上
下動せしめつつスリットの拡開自由度を調節して下腿部の背屈角度を適正に調節せしめ、背屈遊動を制御せしめつつ適正に歩行せしめることが出来るものである。
【００１６】
請求項２記載の発明は、上述のように構成されているから、対応する調節孔に止着材を
介して止着せしめつつ拡開度調節部材をストッパ−に沿って上下動せしめ、スリットの拡開自由度を調節して常に下腿部の背屈角度を適正に調節せしめることが出来るものである
。
【図面の簡単な説明】
【００１７】
【図１】本発明の一実施例を示す斜視図である。
【図２】本発明の一実施例を示す背面図である。
【図３】本発明の一実施例を示す側面図である。
【発明を実施するための形態】
【００１８】
以下に、本発明を実施するための形態を図面に示す一実施例に基づいて詳細に説明する
。
【００１９】
本発明の一実施例を示す図１乃至図３中、１は足が載置自在とされた踵部位２付き足底部、３は該足底部１の踵部位２内に嵌合せしめつつその踝部位４に枢軸５を介して底背屈自在に枢着された下腿部で、該下腿部３は人体のふくら脛に密接せしめるべく上端部より下端部にかけて略テ−パ状とされた半筒状に形成されている。６は該下腿部３を所定の背屈角度に停止せしめるべく上記足底部１の踵部位２上に起立状に一体形成された所要の高さを有する略半筒状ストッパ−、７は該ストッパ−６の上端中央部から下端方向へ向けて切欠き形成された所要幅のスリット、８は該スリット７の両側縁に沿って所定ピッチ毎に対向形成された調節孔、９は対応する調節孔８に止着材１０を介して止着せしめつつスリット７に沿って上下動自在に配設された弾性を有する略バ−状の拡開度調節部材である。
その他、１１・１２は足底部１に付設された爪先部用装着バンドと甲部用装着バンド、１３は下腿部３に付設されたふくら脛部用装着バントである。    
【００２０】
次に、上述の如く構成された実施例の使用状態について説明する。
先ず、拡開度調節部材９を所要の調節孔８に止着材１０でもって止着せしめ、スリット
７の拡開自由度を所要の幅に拡開調節せしめる。即ち、図２・３に図示するように、例えば、拡開度調節部材９を最上部の調節孔８に止着材１０でもって止着せしめる場合には、スリット７の拡開自由度が小となり、下腿部３の背屈作動において生起する圧力を受けた場合においても拡開幅の変動が少く、ひいては、下腿部３の背屈角度も小となる。逆に、拡開度調節部材９を下方の調節孔８に止着材１０でもって止着せしめる場合には、スリット７の拡開自由度が大となり、下腿部３の背屈作動において生起する圧力を受けた場合においても拡開幅の変動が大きく、ひいては、下腿部３の背屈角度も大となる。
しかるのち、足底部１上に足を載せると共に、下腿部３をふくら脛の背面側に当てがいつつ爪先部用装着バンド１１・甲部用装着バンド１２・ふくら脛部用装着バンド１３でもって装着せしめる。
このさい、下腿部３は足底部１の踵部位２に枢軸５を介して枢着されると共に、ストッ
パ−６により背屈制動せしめるものとされているから、下腿部３を所要の背屈角度でもって側方安定性よく底背屈作動せしめることが出来るのみならず、拡開度調節部材９は弾性を有するものとされているから、下腿部３の背屈作動を補助せしめてスム−ズに背屈せしめることが出来る。
そして、例えば、歩行時には下腿部３の背屈角度を調節せしめる必要がある場合には、拡開度調節部材９をストッパ−６に沿って適宜上下動せしめつつ所要の調節孔８に止着せしめてスリット７の拡開自由度を調節して背屈角度を適正に調節せしめるとよい。  
【符号の説明】
【００２１】
１  足底部
２  踵部位  
３  下腿部
４  踝部位  
６  ストッパ−
７  スリット
８  調節孔
９  拡開度調節部材
１０  止着材
【図１】
0005463175.tif 000002
【図２】
0005463175.tif 000003
【図３】
0005463175.tif 000004